(57)【要約】【課題】尿が着用者側に戻ることを防止する。【解決手段】男性用軽失禁パッド１は、長手方向に延びるシート状の本体部２と、カバー部３とを備える。本体部２では、透液性のトップシート２１と撥水性または不透液性のバックシート２３との間に吸収コア２２が配置される。カバー部３は、撥水性または不透液性のシートにより形成され、カバー部３の周縁部が本体部２の本体周縁部２９に接合されることにより、本体部２のトップシート２１側の面がカバー部３により覆われる。長手方向におけるカバー部３の一方側の部位に、着用者の男性器が挿入される開口部３５が形成され、カバー部３の他方側の部位が、本体部２との間で袋状部３４を形成する。これにより、多量の尿が排泄された場合でも、袋状部３４により当該尿が保持されることにより、尿が着用者側に戻ることを防止することができる。【選択図】図１
2018114005.tif 000002
【特許請求の範囲】
【請求項１】
男性用軽失禁パッドであって、
透液性のトップシートと撥水性または不透液性のバックシートとの間に吸収コアが配置された、長手方向に延びるシート状の本体部と、
撥水性または不透液性のシートにより形成され、周縁部が前記本体部の本体周縁部に接合されることにより、前記本体部の前記トップシート側の面を覆うカバー部と、
を備え、
前記長手方向における前記カバー部の一方側の部位に、着用者の男性器が挿入される開口部が形成され、前記カバー部の他方側の部位が、前記本体部との間で袋状部を形成することを特徴とする男性用軽失禁パッド。
【請求項２】
請求項１に記載の男性用軽失禁パッドであって、
前記カバー部が、前記長手方向に垂直な幅方向における前記本体部の両側の部位上にそれぞれ配置される一対のカバーシートを備え、
各カバーシートが、
前記幅方向における前記本体周縁部の片側の部位に接合される外側縁部と、
前記幅方向における前記本体部の中央近傍にて前記長手方向に延びる内側縁部と、
を備え、
前記本体部を前記長手方向に伸張した状態において、前記一対のカバーシートの内側縁部が、前記長手方向に沿って互いに重なり、
前記カバー部の前記他方側の部位において、前記一対のカバーシートの前記内側縁部が互いに接合されることを特徴とする男性用軽失禁パッド。
【請求項３】
請求項２に記載の男性用軽失禁パッドであって、
前記各カバーシートの前記内側縁部において、前記各カバーシートを構成する不織布の縁が、前記トップシートとは反対側に折り返されることを特徴とする男性用軽失禁パッド。
【請求項４】
請求項１ないし３のいずれか１つに記載の男性用軽失禁パッドであって、
前記カバー部が、前記開口部の縁に沿って設けられるとともに前記縁に沿って収縮する弾性部材を備えることを特徴とする男性用軽失禁パッド。
【請求項５】
請求項４に記載の男性用軽失禁パッドであって、
前記開口部が、前記長手方向に長く、
前記男性用軽失禁パッドが、前記長手方向に垂直な２つの折曲線で前記カバー部側に折り曲げられた状態で包装袋に収容され、
前記２つの折曲線の一方が、前記開口部と重なることを特徴とする男性用軽失禁パッド。
【請求項６】
請求項１ないし５のいずれか１つに記載の男性用軽失禁パッドであって、
前記吸収コアが、
上層シートと、
前記上層シートと前記バックシートとの間に配置される下層シートと、
高吸収性材料により構成される層であり、前記上層シートと前記下層シートとの間にて両者に接触する高吸収性材料層と、
を備えることを特徴とする男性用軽失禁パッド。
【請求項７】
請求項６に記載の男性用軽失禁パッドであって、
前記高吸収性材料層において、前記高吸収性材料の密度が他の領域よりも低い帯状の領域、または、前記高吸収性材料が存在しない帯状の領域が前記長手方向に沿って設けられることを特徴とする男性用軽失禁パッド。
【請求項８】
請求項１ないし７のいずれか１つに記載の男性用軽失禁パッドであって、
着用者が前記男性用軽失禁パッドを着用した状態において、前記長手方向における前記男性用軽失禁パッドの一方の端部が前方端部として前記着用者の下腹部に接触し、前記男性用軽失禁パッドの他方の端部が股下端部として前記着用者の股間部に対向し、
前記長手方向に垂直な幅方向における前記股下端部の幅が、前記前方端部の幅よりも小さいことを特徴とする男性用軽失禁パッド。
【請求項９】
請求項８に記載の男性用軽失禁パッドであって、
前記吸収コアの外形が矩形であり、
前記前方端部の両側部が、前記吸収コアの不存在領域であることを特徴とする男性用軽失禁パッド。
【請求項１０】
請求項９に記載の男性用軽失禁パッドであって、
前記吸収コアと前記バックシートとの間に配置され、前記吸収コアを前記バックシート側から覆う吸水紙をさらに備え、
前記前方端部の前記両側部における前記吸収コアの前記不存在領域に、前記吸水紙の一部が重なることを特徴とする男性用軽失禁パッド。
【発明の詳細な説明】
【技術分野】
【０００１】
本発明は、男性用軽失禁パッドに関する。
【背景技術】
【０００２】
従来、男性用の軽失禁パッドが用いられている。当該軽失禁パッドは、着用者が着用する下着等の内側に取り付けられる。例えば、特許文献１の軽失禁パッドでは、長手方向に延びる吸収体がトップシートにより覆われ、トップシートの上方に肌面シート体が設けられる。当該肌面シート体において長手方向における中央には、男性器を挿入するための開口部が形成される。これにより、着用者の男性器から排泄された尿の軽失禁パッド外への漏れを防止することが可能となる。
【０００３】
なお、特許文献２の軽失禁パッドでは、カバーシートの周縁部が吸収性シートの周縁部に接着され、カバーシートと吸収性シートとの間で袋構造が形成される。カバーシートには、略Ｙ字状の裂開用ミシン目線が設けられ、当該ミシン目線の裂開により男性器の挿入口が形成される。
【先行技術文献】
【特許文献】
【０００４】
【特許文献１】特開２００９−１７８４２２号公報
【特許文献２】特開２００９−８２４７７号公報
【発明の概要】
【発明が解決しようとする課題】
【０００５】
ところで、軽失禁パッドでは、尿が排泄された際に、吸収コアが全ての尿を吸収するのに要する時間は、当該尿の量に依存する。特許文献１の軽失禁パッドでは、長手方向の端部において、肌面シート体とトップシートとの間に袋状の空間が形成されるため、当該空間内にてある程度の量の尿が保持される。しかしながら、多量の尿が排泄された場合には、当該空間の大きさが必ずしも十分ではないため、尿が着用者側に戻ってしまう虞がある。
【０００６】
本発明は上記課題に鑑みなされたものであり、多量の尿が排泄された場合に、尿が着用者側に戻ることを防止することを目的としている。
【課題を解決するための手段】
【０００７】
請求項１に記載の発明は、男性用軽失禁パッドであって、透液性のトップシートと撥水性または不透液性のバックシートとの間に吸収コアが配置された、長手方向に延びるシート状の本体部と、撥水性または不透液性のシートにより形成され、周縁部が前記本体部の本体周縁部に接合されることにより、前記本体部の前記トップシート側の面を覆うカバー部とを備え、前記長手方向における前記カバー部の一方側の部位に、着用者の男性器が挿入される開口部が形成され、前記カバー部の他方側の部位が、前記本体部との間で袋状部を形成する。
【０００８】
請求項２に記載の発明は、請求項１に記載の男性用軽失禁パッドであって、前記カバー部が、前記長手方向に垂直な幅方向における前記本体部の両側の部位上にそれぞれ配置される一対のカバーシートを備え、各カバーシートが、前記幅方向における前記本体周縁部の片側の部位に接合される外側縁部と、前記幅方向における前記本体部の中央近傍にて前記長手方向に延びる内側縁部とを備え、前記本体部を前記長手方向に伸張した状態において、前記一対のカバーシートの内側縁部が、前記長手方向に沿って互いに重なり、前記カバー部の前記他方側の部位において、前記一対のカバーシートの前記内側縁部が互いに接合される。
【０００９】
請求項３に記載の発明は、請求項２に記載の男性用軽失禁パッドであって、前記各カバーシートの前記内側縁部において、前記各カバーシートを構成する不織布の縁が、前記トップシートとは反対側に折り返される。
【００１０】
請求項４に記載の発明は、請求項１ないし３のいずれか１つに記載の男性用軽失禁パッドであって、前記カバー部が、前記開口部の縁に沿って設けられるとともに前記縁に沿って収縮する弾性部材を備える。
【００１１】
請求項５に記載の発明は、請求項４に記載の男性用軽失禁パッドであって、前記開口部が、前記長手方向に長く、前記男性用軽失禁パッドが、前記長手方向に垂直な２つの折曲線で前記カバー部側に折り曲げられた状態で包装袋に収容され、前記２つの折曲線の一方が、前記開口部と重なる。
【００１２】
請求項６に記載の発明は、請求項１ないし５のいずれか１つに記載の男性用軽失禁パッドであって、前記吸収コアが、上層シートと、前記上層シートと前記バックシートとの間に配置される下層シートと、高吸収性材料により構成される層であり、前記上層シートと前記下層シートとの間にて両者に接触する高吸収性材料層とを備える。
【００１３】
請求項７に記載の発明は、請求項６に記載の男性用軽失禁パッドであって、前記高吸収性材料層において、前記高吸収性材料の密度が他の領域よりも低い帯状の領域、または、前記高吸収性材料が存在しない帯状の領域が前記長手方向に沿って設けられる。
【００１４】
請求項８に記載の発明は、請求項１ないし７のいずれか１つに記載の男性用軽失禁パッドであって、着用者が前記男性用軽失禁パッドを着用した状態において、前記長手方向における前記男性用軽失禁パッドの一方の端部が前方端部として前記着用者の下腹部に接触し、前記男性用軽失禁パッドの他方の端部が股下端部として前記着用者の股間部に対向し、前記長手方向に垂直な幅方向における前記股下端部の幅が、前記前方端部の幅よりも小さい。
【００１５】
請求項９に記載の発明は、請求項８に記載の男性用軽失禁パッドであって、前記吸収コアの外形が矩形であり、前記前方端部の両側部が、前記吸収コアの不存在領域である。
【００１６】
請求項１０に記載の発明は、請求項９に記載の男性用軽失禁パッドであって、前記吸収コアと前記バックシートとの間に配置され、前記吸収コアを前記バックシート側から覆う吸水紙をさらに備え、前記前方端部の前記両側部における前記吸収コアの前記不存在領域に、前記吸水紙の一部が重なる。
【発明の効果】
【００１７】
本発明によれば、多量の尿が排泄された場合でも、尿が着用者側に戻ることを防止することができる。
【図面の簡単な説明】
【００１８】
【図１】男性用軽失禁パッドを示す平面図である。
【図２】男性用軽失禁パッドを示す断面図である。
【図３】男性用軽失禁パッドを示す断面図である。
【図４】男性用軽失禁パッドを示す断面図である。
【図５】吸収シートを示す平面図である。
【図６】男性用軽失禁パッドを示す平面図である。
【図７】折り畳まれた状態の男性用軽失禁パッドを示す図である。
【図８】比較例の軽失禁パッドを示す断面図である。
【図９】男性用軽失禁パッドの他の例を示す図である。
【図１０】男性用軽失禁パッドの他の例を示す図である。
【図１１】男性用軽失禁パッドの他の例を示す図である。
【発明を実施するための形態】
【００１９】
図１は、本発明の一の実施の形態に係る男性用軽失禁パッド１を広げた状態で示す平面図である。男性用軽失禁パッド１（以下、単に「軽失禁パッド１」という。）は、着用者が着用する下着の内側（すなわち、着用者側）に取り付けられて着用者からの尿等の排泄物を受ける吸収性物品である。男性用軽失禁パッド１は、着用者が着用する使い捨ておむつ等の内側に取り付けられてもよい。図１では、着用時に着用者に接触する側の面を手前にして軽失禁パッド１を描いている。
【００２０】
図２ないし図４はそれぞれ、軽失禁パッド１を図１中に示すII−IIの位置、III−IIIの位置およびIV−IVの位置で長手方向（すなわち、図１中における上下方向）に垂直な面で切断した断面図である。図２ないし図４では、図示の都合上、軽失禁パッド１の各構成を厚さ方向に離して描いている。
【００２１】
図１ないし図４に示すように、軽失禁パッド１は、長手方向に延びるシート状の本体部２と、本体部２の一方側の面（主面）を覆うカバー部３とを備える。本体部２は、透液性のトップシート２１と、撥水性または不透液性のバックシート２３と、シート状の吸収コア２２と、吸水紙２４とを備える。吸収コア２２は、トップシート２１とバックシート２３との間に配置される。吸水紙２４は、吸収コア２２とバックシート２３との間に配置される。図１では、図の理解を容易にするために、吸収コア２２の輪郭を示す破線を、吸水紙２４の輪郭を示す破線よりも太くしている。軽失禁パッド１を平面視した図１では、吸水紙２４の全体が本体部２の外周縁よりも内側に位置し、吸収コア２２の全体が吸水紙２４の外周縁よりも内側に位置する。
【００２２】
図２ないし図４に示すように、トップシート２１は、吸収コア２２の着用者側の主面を覆う。吸水紙２４は、吸収コア２２のもう一方の主面、すなわち、着用者とは反対側の主面を覆う。バックシート２３は、吸水紙２４における吸収コア２２とは反対側の面、すなわち、着用者とは反対側の面を覆う。トップシート２１は、吸収コア２２の周りにおいてホットメルト接着剤等により吸水紙２４に接合される。軽失禁パッド１では、トップシート２１、カバー部３およびバックシート２３により、本体部２の外形を規定するシート積層体２０が形成される。シート積層体２０は、本体部２と同様に長手方向に延びた形状である。
【００２３】
トップシート２１は透液性のシート部材であり、着用者からの排泄物の水分を速やかに捕捉して吸収コア２２へと移動させる。吸収コア２２は、トップシート２１を透過した水分を吸収して迅速に固定する。吸水紙２４は、吸収コア２２を通過した水分を吸収する。バックシート２３は、バックシート２３に到達した水分が、本体部２の外側にしみ出すことを防止する。
【００２４】
後述するように、着用者が軽失禁パッド１を着用した状態では、長手方向における軽失禁パッド１の一方の端部（図１では上側の端部）が、前方端部１１として着用者の下腹部に接触する。また、軽失禁パッド１の他方の端部（図１では下側の端部）が、股下端部１２として着用者の股間部に対向する。実際には、長手方向における軽失禁パッド１の前方端部１１側の部位、すなわち、軽失禁パッド１を長手方向におよそ二等分した場合における前方端部１１を含む部分が、着用者の男性器に接触する。以下の説明では、軽失禁パッド１の当該部分を「前方部１１０」といい、軽失禁パッド１の残りの部分、すなわち、長手方向における軽失禁パッド１の股下端部１２側の部位を「股下部１２０」という。
【００２５】
長手方向に垂直な幅方向における軽失禁パッド１の幅、すなわち、シート積層体２０の幅は、長手方向に沿って変化し、前方端部１１は、シート積層体２０の幅が最大となる部位を含む。シート積層体２０の幅は、前方端部１１から股下端部１２に向かって漸次減少する。例えば、前方端部１１と股下端部１２との間におけるシート積層体２０の各側縁は直線状であり、シート積層体２０の幅は、前方端部１１から股下端部１２に向かって線形に減少する。このように、シート積層体２０では、幅方向における股下端部１２の幅が、前方端部１１の幅（最大幅）よりも小さくなる。シート積層体２０の形状は、略三角形と捉えることも可能である。
【００２６】
上述のホットメルト接着剤としては、ポリオレフィン系、ゴム系、酢酸ビニル系等のものが利用される。トップシート２１と吸水紙２４およびバックシート２３との接合は、他の接合手法（例えば、熱融着接合や超音波接合等）により行われてもよい。ホットメルト接着剤を用いて接合を行う他の部分において同様である。
【００２７】
トップシート２１としては、例えば、表面を界面活性剤により親水処理した疎水性繊維（ポリプロピレン、ポリエチレン、ポリエステル、ポリアミド、ナイロン等）にて形成された透液性の不織布が利用される。当該不織布は、例えば、ポイントボンド不織布やエアスルー不織布、スパンボンド不織布である。なお、トップシート２１として、セルロースやレーヨン、コットン等の親水性繊維により形成された不織布（例えば、スパンレース不織布）が利用されてもよい。
【００２８】
バックシート２３としては、疎水性繊維にて形成された撥水性または不透液性の不織布（例えば、スパンボンド不織布やメルトブロー不織布、ＳＭＳ（スパンボンド・メルトブロー・スパンボンド）不織布）や、撥水性または不透液性のプラスチックフィルム、あるいは、いずれかの不織布とプラスチックフィルムとが積層された積層シートが利用される。軽失禁パッド１のムレを防止して着用者の快適性を向上するという観点からは、バックシート２３にて利用されるプラスチックフィルムは、透湿性（通気性）を有するものが好ましい。
【００２９】
図２ないし図４に示すように、吸収コア２２は、複数の吸収シート２２０を備える。軽失禁パッド１の一例では、同じ構造の２つの吸収シート２２０が設けられ、厚さ方向（図２ないし図４の上下方向）に正確に重ねられる。後述するように、各吸収シート２２０の外形は矩形である。図１のように軽失禁パッド１を平面視した場合に、吸収コア２２の外形は、吸収シート２２０の外形と一致しており、矩形である。以下の説明では、図２ないし図４に示す２つの吸収シート２２０を区別する場合に、トップシート２１と接触する吸収シート２２０を「上側吸収シート２２０」と呼び、吸水紙２４と接触する吸収シート２２０を「下側吸収シート２２０」と呼ぶ。吸収コア２２では、１つの吸収シート２２０のみが設けられてもよい。
【００３０】
各吸収シート２２０は、透液性の上層シート２２１と、透液性の下層シート２２２と、高吸収性材料層２２３とを備える。上層シート２２１は、トップシート２１と下層シート２２２との間に配置される。下層シート２２２は、上層シート２２１とバックシート２３との間に配置される。高吸収性材料層２２３は、高吸収性材料２２４により構成される層である。図２ないし図４では、高吸収性材料２２４を白い丸にて抽象的に示す。高吸収性材料層２２３は、上層シート２２１と下層シート２２２との間に配置され、ホットメルト接着剤等により一方または両方に固定される。高吸収性材料層２２３は、上層シート２２１と下層シート２２２との間にて両者に接触する（接着剤を介して接触する場合を含む。）。上層シート２２１および下層シート２２２は、高吸収性材料２２４が存在しない領域において互いに重ねられて接合される。好ましい吸収シート２２０では、上層シート２２１と下層シート２２２との間には、接着剤を除き、原則として高吸収性材料２２４のみが存在する。
【００３１】
図５は、吸収シート２２０を示す平面図である。各吸収シート２２０の外形は、長手方向に長い矩形（長方形）である。上層シート２２１および下層シート２２２は、同様に長手方向に延びた形状である。吸収シート２２０では、複数の材料存在領域２２５と、複数の材料不存在領域２２６とが設けられる。各材料存在領域２２５では、高吸収性材料２２４が上層シート２２１と下層シート２２２との間に配置される。すなわち、複数の材料存在領域２２５には、高吸収性材料２２４が固定される。図５では、材料存在領域２２５に平行斜線を付している。
【００３２】
複数の材料存在領域２２５は、それぞれが長手方向に略平行に延びる帯状であり、幅方向に互いに離間しつつ配列される。すなわち、吸収シート２２０では、長手方向に延びるストライプ状に配置された複数の材料存在領域２２５が設けられる。図５の例では、複数の材料存在領域２２５の幅（幅方向における幅）は、互いに等しい。例えば、複数の材料存在領域２２５における高吸収性材料２２４の坪量（目付）は、およそ等しい。
【００３３】
複数の材料不存在領域２２６は、吸収シート２２０における、複数の材料存在領域２２５を除く領域である。複数の材料不存在領域２２６は、それぞれが長手方向に沿って延びる帯状である。図５の例では、幅方向における各材料不存在領域２２６の幅は、材料存在領域２２５の幅よりも小さい。また、複数の材料不存在領域２２６の幅は、互いに等しい。複数の材料不存在領域２２６と複数の材料存在領域２２５とは、幅方向に交互に配列される。
【００３４】
各材料不存在領域２２６では、上層シート２２１と下層シート２２２との間に、高吸収性材料が存在しない。材料不存在領域２２６では、上層シート２２１と下層シート２２２とが、熱融着接合や、エンボス加工による接合等、接着剤を用いない接合手法により互いに接合されることが好ましい。材料不存在領域２２６では、上層シート２２１と下層シート２２２とが部分的に非接合状態であってもよい。材料不存在領域２２６が、高吸収性材料を僅かに含む領域、すなわち、他の領域（材料存在領域２２５）よりも高吸収性材料２２４の密度が低い領域（材料低密度領域）であってもよい。
【００３５】
吸収シート２２０の上層シート２２１および下層シート２２２としては、例えば、トップシート２１と同様に、表面を界面活性剤により親水処理した疎水性繊維（ポリプロピレン、ポリエチレン、ポリエステル、ポリアミド、ナイロン等）にて形成された透液性の不織布が利用される。当該不織布は、例えば、ポイントボンド不織布やエアスルー不織布、スパンボンド不織布である。また、上層シート２２１および下層シート２２２として、セルロースやレーヨン、コットン等の親水性繊維により形成された不織布（例えば、スパンレース不織布）が利用されてもよい。上層シート２２１および下層シート２２２として、ティッシュや複数の開口を有するプラスチックフィルム等が利用されてもよい。
【００３６】
高吸収性材料２２４としては、例えば、粒状の高吸収性ポリマー（ＳＡＰ（Super Absorbent Polymer））、または、繊維状の高吸収性ファイバー（ＳＡＦ（Super Absorbent Fiber））が利用される。高吸収性材料２２４は、原則、ポリマーにより形成され、パルプは含まれない。
【００３７】
好ましい吸収コア２２は、１つまたは複数の吸収シート２２０のみを含み、パルプ繊維等が集合した吸水用の繊維集合層を含まない。すなわち、好ましい軽失禁パッド１では、パルプレスの吸収コア２２（いわゆる、ポリマーシート）が用いられる。このような吸収コア２２の厚さは、例えば、５ミリメートル（ｍｍ）以下であり、１ｍｍ以上である。なお、上側吸収シート２２０および下側吸収シート２２０では、互いに構造が相違してもよい。例えば、幅方向における複数の材料存在領域２２５の位置が、上側吸収シート２２０と下側吸収シート２２０とで相違してもよい。
【００３８】
ここで、図１のように軽失禁パッド１を平面視した場合に、シート積層体２０における吸収コア２２の周囲の領域を、「吸収コア２２の不存在領域」または「コア不存在領域」と呼ぶ。既述のように、吸収コア２２は矩形であり、前方端部１１は、シート積層体２０の幅が最大となる部位を含む。したがって、前方端部１１の両側部には、比較的大きなコア不存在領域が存在する。
【００３９】
吸水紙２４は、下側吸収シート２２０の下層シート２２２とバックシート２３との間に配置され、吸収コア２２をバックシート２３側から覆う（図２ないし図４参照）。図１に示すように、吸水紙２４は、前方端部１１から股下端部１２に亘って長手方向に延び、長手方向における吸水紙２４の長さは、吸収コア２２の長さよりも大きい。幅方向における吸水紙２４の幅は、長手方向のいずれの位置においても吸収コア２２の幅よりも大きく、吸収コア２２の全体が、吸水紙２４によりバックシート２３側から覆われる。
【００４０】
吸水紙２４は、幅方向における幅が一定となる部位２４１と、当該部位２４１よりも幅が大きい部位２４２とを備える。以下、これらの部位２４１，２４２をそれぞれ「幅狭部２４１」および「幅広部２４２」という。幅広部２４２は、前方端部１１に配置され、股下端部１２には、幅狭部２４１の一部が配置される。すなわち、股下端部１２における吸水紙２４の幅は、前方端部１１における吸水紙２４の幅よりも小さい。吸水紙２４の幅は、前方端部１１において最大となる。既述のように、前方端部１１の両側部には、比較的大きなコア不存在領域が位置し、当該コア不存在領域に、吸水紙２４の幅広部２４２が重なる。
【００４１】
吸水紙２４の幅が最大となる長手方向の位置は、シート積層体２０の幅が最大となる位置とほぼ同じである。既述のように、シート積層体２０の幅は、前方端部１１から股下端部１２に向かって線形に減少する。吸水紙２４では、幅が最大となる長手方向の位置から幅狭部２４１に向かって、幅広部２４２の幅が漸次減少し、その減少量は、シート積層体２０の幅の減少量よりも大きい。したがって、幅広部２４２における幅狭部２４１側の部位では、長手方向において幅狭部２４１に近づくに従って、その側縁とシート積層体２０の側縁との間の距離が漸次増大する。
【００４２】
ここで、シート積層体２０の各側部において、シート積層体２０の側縁と吸水紙２４の側縁との間の領域２０１は、吸収コア２２および吸水紙２４の双方が配置されないため、非吸収性領域として捉えることができる。また、非吸収性領域２０１は、トップシート２１も配置されず、カバー部３およびバックシート２３の積層体からなることが好ましい。幅方向における非吸収性領域２０１の幅は、シート積層体２０および吸水紙２４の幅が最大となる長手方向の位置から、幅広部２４２と幅狭部２４１との境界位置に向かって漸次増大し、当該境界位置において最大となる。非吸収性領域２０１の幅が最大となる位置における幅の大きさは、１５ｍｍ以上であれば摘まみ易くて好ましい。
【００４３】
吸水紙２４は、例えば、パルプ繊維等により形成される。吸水紙２４の坪量は、トップシート２１およびバックシート２３を構成する不織布の坪量よりも大きい。吸水紙２４の坪量は、例えば２０ｇ／ｍ２以上かつ４５ｇ／ｍ２以下であり、好ましくは３０ｇ／ｍ２以上かつ４０ｇ／ｍ２以下である。２０ｇ／ｍ２以上であれば吸水量と剛性を得ることができ、一方で、４５ｇ／ｍ２以下であれば吸水紙２４からのトップシート２１への尿のウェットバックを抑えることができる。吸水紙２４の厚さは、吸収コア２２の厚さよりも小さい。
【００４４】
カバー部３は、本体部２のトップシート２１側の面を覆う。カバー部３は、撥水性または不透液性の一対のカバーシート３１と、カバー部弾性部材３６とを備える。一対のカバーシート３１は、幅方向における本体部２の両側の部位上、すなわち、本体部２を幅方向におよそ二等分した場合における２つの部分上にそれぞれに配置される。正確には、幅方向における本体部２の中央において、２つのカバーシート３１は部分的に互いに重なる。各カバーシート３１は、長手方向における本体部２のおよそ全長に亘る。
【００４５】
各カバーシート３１は、外側縁部３２と、内側縁部３３とを備える。図６のように軽失禁パッド１を平面視した場合に、外側縁部３２は、本体部２の周縁部２９（以下、「本体周縁部２９」という。）と重なる部位である。外側縁部３２は、本体部２の着用者側の面（トップシート２１、吸水紙２４、バックシート２３）にホットメルト接着剤等により接合される。図６では、外側縁部３２に対して、平行斜線（後述の接合部３３１よりも間隔が広い平行斜線）を付している。各カバーシート３１は、幅方向における本体部２の片側の部位に配置されるため、当該カバーシート３１の外側縁部３２は、幅方向における本体周縁部２９の片側の部位に接合される。
【００４６】
図６の例では、本体周縁部２９は、本体部２における吸収コア２２の周囲の部分である。本体周縁部２９は、吸収コア２２の外縁部と重なっていてもよい。一対のカバーシート３１における外側縁部３２の縁は、本体部２の全周の縁（シート積層体２０の全周の縁）と重なり、広げた状態の軽失禁パッド１における着用者側の表面は、カバーシート３１の面である。幅方向における本体部２の中央において、２つのカバーシート３１における互いに重なる外側縁部３２の部分では、これらの部分同士もホットメルト接着剤等により接合される。カバー部３では、一対のカバーシート３１の外側縁部３２がカバー部３の周縁部となり、当該周縁部が本体周縁部２９に接合されることにより、本体部２のトップシート２１側の面がカバー部３により覆われる。
【００４７】
内側縁部３３は、各カバーシート３１の周縁部のうち外側縁部３２を除く部分である。内側縁部３３は、幅方向における本体部２の中央近傍にて長手方向に延びる。内側縁部３３の縁は、好ましくは、長手方向に延びる直線状である。本体部２を長手方向に伸張した状態において、一対のカバーシート３１の内側縁部３３は、長手方向に沿って互いに重なる。すなわち、一方のカバーシート３１における内側縁部３３の着用者側の面を覆うように、他方のカバーシート３１の内側縁部３３が配置される。例えば、これらの内側縁部３３は、本体部２の全長に亘って互いに重なる。
【００４８】
各内側縁部３３は、接合部３３１と、非接合部３３２とを備える。接合部３３１は、股下部１２０における内側縁部３３の部位である。一対のカバーシート３１における内側縁部３３の接合部３３１は、ホットメルト接着剤等により互いに接合される（図４参照）。図６では、接合部３３１に対して、外側縁部３２よりも間隔が狭い平行斜線を付している。このように、カバー部３の股下部１２０側の部位において、一対のカバーシート３１の内側縁部３３を互いに接合することにより、カバー部３の当該部位が、本体部２との間で袋状部３４を形成する。袋状部３４では、前方部１１０側を除く各方向が閉じられた内部空間が形成される。袋状部３４は、ポケットと捉えることも可能である。
【００４９】
非接合部３３２は、前方部１１０における内側縁部３３の部位である。一対のカバーシート３１における内側縁部３３の非接合部３３２は、互いに接合されない（図２および図３参照）。これにより、後述するように着用者が軽失禁パッド１を着用した状態において、着用者の男性器の陰茎が挿入される（挿入可能な）開口部３５が形成される。一対のカバーシート３１の非接合部３３２は、開口部３５の縁部であり、開口部３５は長手方向に長い。軽失禁パッド１を長手方向に伸張した状態を示す図１および図６では、一対のカバーシート３１における非接合部３３２が互いに重なっている。
【００５０】
以上のように、軽失禁パッド１では、長手方向におけるカバー部３の一方側の部位（前方部１１０側の部位）に開口部３５が形成され、カバー部３の他方側の部位（股下部１２０側の部位）に袋状部３４が形成される。長手方向における中央からずれた位置に開口部３５が形成される軽失禁パッド１では、袋状部３４において大きな内部空間を確保することが可能である。幅方向において２つの内側縁部３３が重なる幅は、例えば５ｍｍ以上である。これにより、２つの内側縁部３３の接合部３３１において十分な接合強度が確保される。また、２つの内側縁部３３が重なる幅が過度に大きい場合、男性器を開口部３５に挿入する際に、開口部３５を広げる作業が繁雑となる。このような観点では、幅方向において２つの内側縁部３３が重なる幅は、１０ｍｍ以下であることが好ましい。
【００５１】
図１ないし図３に示すように、各カバーシート３１の内側縁部３３には、長手方向に延びるカバー部弾性部材３６がホットメルト接着剤等により伸張状態で接合される。図２および図３の例では、カバーシート３１を構成するシートにおいて、その側縁をトップシート２１側に折り返した折り返し部と、当該折り返し部に対向する対向部との間にカバー部弾性部材３６が配置されており、両者の一方または双方に、カバー部弾性部材３６が接合される。当該折り返し部の先端は、当該シートの本体部２側の面に接合される。ここでは、内側縁部３３は、折り返し部および対向部を含む。
【００５２】
図１に示すように、カバー部弾性部材３６は、非接合部３３２に設けられる、すなわち、開口部３５の縁に沿って設けられる。カバー部弾性部材３６が開口部３５の縁に沿って収縮することにより、図２および図３に示すように、２つのカバーシート３１の非接合部３３２が着用者に向かって本体部２から離間する。また、２つのカバーシート３１の非接合部３３２の間に、幅方向の隙間が生じる。すなわち、開口部３５が予め開口した状態が維持される。これにより、後述するように、着用者が軽失禁パッド１を着用する際に、男性器を開口部３５に容易に挿入することが可能となる。内側縁部３３の非接合部３３２は、カバーシート３１の自由端部と捉えることもできる。カバー部弾性部材３６は、好ましくは、長手方向における非接合部３３２の全体に亘って設けられる。カバー部弾性部材３６は、非接合部３３２に加えて、接合部３３１の一部または全体に設けられてもよい。
【００５３】
カバーシート３１としては、疎水性繊維にて形成された撥水性または不透液性の不織布（例えば、スパンボンド不織布やメルトブロー不織布、ＳＭＳ不織布等）が利用される。カバー部弾性部材３６としては、例えば、ポリウレタン糸、帯状のポリウレタンフィルム、糸状または帯状の天然ゴム等が利用され、図１に示す軽失禁パッド１では、ポリウレタン糸が利用される。
【００５４】
図７は、折り畳まれた状態の軽失禁パッド１を示す図である。軽失禁パッド１は、折り畳まれた状態で所定の包装袋９１（図７中に破線にて示す。）に収容される。軽失禁パッド１を折り畳む際には、長手方向に垂直な２つの折曲線Ｆ１，Ｆ２（図１中に一点鎖線にて示す。）で、軽失禁パッド１がカバー部３側に、すなわち、カバー部３が内側となるように折り曲げられる。一方の折曲線Ｆ１は、前方部１１０において開口部３５と重なり、他方の折曲線Ｆ２は、折曲線Ｆ１から股下端部１２側に向かって離れた位置に設けられる。
【００５５】
好ましい軽失禁パッド１では、バックシート２３におけるトップシート２１とは反対側の面に、粘着剤が塗布されており、バックシート２３の当該面には、バックシート２３のおよそ全体を覆う帯状のフィルムが貼付される。軽失禁パッド１は、当該フィルムが貼付された状態で２つの折曲線Ｆ１，Ｆ２でカバー部３側に折り畳まれる。軽失禁パッド１と共に３つ折りされたフィルムの各側部を、所定の接合手法にて接合することにより、当該フィルムにより形成される包装袋９１内に、軽失禁パッド１が収容される。なお、予め袋状に形成された包装袋９１内に、フィルムと共に折り畳まれた軽失禁パッド１が収容されてもよい。軽失禁パッド１は、粘着テープ（両面粘着テープ）のテープ片等により、下着に止着可能とされてもよい。
【００５６】
着用者が軽失禁パッド１を着用する際には、包装袋９１から軽失禁パッド１が取り出され、バックシート２３に貼付されたフィルムが剥がされる。続いて、着用者が着用する下着を下方（つま先側）にずらした状態で、軽失禁パッド１が、バックシート２３の粘着剤により、当該下着の内面に取り付けられる。このとき、下着において、着用時に着用者の男性器に対向する位置に、前方部１１０が配置され、着用者の股間部に対向する位置に、股下端部１２が配置される。そして、着用者に対して当該下着を上方に引き上げ、さらに、男性器の陰茎を開口部３５に挿入することにより、着用者において軽失禁パッド１が着用される（すなわち、軽失禁パッド１を取り付けた下着が着用される。）。
【００５７】
軽失禁パッド１の吸収コア２２では、上層シート２２１と下層シート２２２との間において、高吸収性材料２２４により構成される高吸収性材料層２２３が設けられ、パルプ繊維等が集合した吸水用の繊維集合層は設けられない。これにより、吸収コア２２の薄型化を図ることができ、衣類を身につけた着用者の外見において、当該着用者が軽失禁パッド１を着用していることを判りにくくすることができる。また、着用者において、男性器の周囲に軽失禁パッド１による違和感が生じることを抑制することができる。
【００５８】
前方端部１１の両側部が、吸収コア２２の不存在領域であることにより、当該両側部が嵩高い、または、ごわついた状態となることを防止して、着用者の外見において、軽失禁パッド１を着用していることをさらに判りにくくすることができる。また、後述するように、吸収コア２２の高吸収性材料２２４が、着用者により排泄された尿を吸収して膨潤した状態であっても、着用者の下腹部への、膨潤した吸収コア２２による圧迫を抑制することができる。
【００５９】
軽失禁パッド１では、包装袋９１に収容する際における、一方の折曲線Ｆ１が内側縁部３３の非接合部３３２と交差するように設けられ、当該折曲線Ｆ１において本体部２がバックシート２３側に突出するように癖付けされている。これにより、カバー部弾性部材３６の収縮と相俟って、非接合部３３２が本体部２から離間する距離が大きくなり、開口部３５が大きく開いた状態となる。その結果、着用者が男性器を開口部３５に容易に挿入することができる。また、着用者が軽失禁パッド１を着用した状態において、着用者の男性器に対向する本体部２の部位が、着用者とは反対側に突出していることにより、着用者において、男性器の周囲に軽失禁パッド１による違和感が生じることをさらに抑制することができる。軽失禁パッド１では、幅方向における股下端部１２の幅が、前方端部１１の幅よりも小さいことにより、着用者において、股間部に軽失禁パッド１による違和感が生じることを抑制することができる。
【００６０】
着用者の男性器から尿が排泄されると、当該尿は、原則として前方部１１０において受けられ、トップシート２１を通過して吸収コア２２に到達する。尿は、複数の材料存在領域２２５の高吸収性材料２２４により吸収され、高吸収性材料２２４が膨潤する。このとき、尿は、材料不存在領域２２６を介して長手方向にある程度拡散するため、前方部１１０における広範囲の高吸収性材料２２４を尿の吸収に利用することができる。また、開口部３５に男性器が挿入されていることにより、排泄された尿の軽失禁パッド１外への漏れを防止することができる。軽失禁パッド１では、開口部３５において男性器の陰茎が保持されるため、軽失禁パッド１に対して当該陰茎の位置がずれることも防止される。
【００６１】
ある程度の量の尿が着用者により排泄されて、前方部１１０の高吸収性材料２２４が膨潤した後には、互いに隣接する材料存在領域２２５の間の材料不存在領域２２６において長手方向に延びる溝部が形成される。その後、着用者により尿がさらに排泄される場合に、当該尿は、当該溝部を介して長手方向に（主として、股下端部１２側に）効率よく拡散され、軽失禁パッド１における広範囲の高吸収性材料２２４を尿の吸収に利用することができる（材料低密度領域が設けられる場合において同様）。さらに、着用者（特に、座位または立位の着用者）により多量の尿が排泄され、吸収コア２２による全ての尿の吸収に時間を要する場合でも、比較的大きな内部空間を有する袋状部３４において当該尿が保持されることにより、尿が着用者側に戻ることを防止することができる。
【００６２】
軽失禁パッド１では、長手方向における前方端部１１と股下端部１２との間の所定位置において、非吸収性領域２０１の幅が最大となる。したがって、軽失禁パッド１の使用後には、着用者（または介護者）が、当該所定位置において非吸収性領域２０１を摘まんで（尿を含む吸収コア２２や吸水紙２４の部分を摘まむことなく）、軽失禁パッド１を下着から容易に取り外すことができる。なお、吸水紙２４の側縁に沿って非吸収性領域２０１をトップシート２１側へと曲げることにより、非吸収性領域２０１を簡易的な側壁部として利用することも可能である。
【００６３】
軽失禁パッド１では、吸水紙２４を省略することも可能である。この場合、前方端部１１の両側部における吸収コア２２の不存在領域の部位が、カバーシート３１、トップシート２１およびバックシート２３のみにより形成される。その結果、当該部位の剛性が低くなり、当該部位が不必要に折れ曲がることにより、着用者において違和感が生じる可能性がある。
【００６４】
一方、好ましい軽失禁パッド１では、吸収コア２２とバックシート２３との間に吸水紙２４が設けられ、前方端部１１の両側部における吸収コア２２の不存在領域に、吸水紙２４の一部が重なる。これにより、前方端部１１の各側部において、ある程度の剛性を確保することができ、前方端部１１を幅方向に適切に広げた状態を維持することができる。その結果、当該領域の部位の折れ曲がりにより着用者において違和感が生じることを抑制することができる。
【００６５】
図１の軽失禁パッド１におけるカバー部３は、いわゆる立体ギャザーの作製に係る設備を利用して容易に作製可能である。図８は、軽失禁パッド１におけるカバー部３を、立体ギャザーを形成する一対のサイドシート８１に変更した比較例の軽失禁パッド８を示す断面図である。比較例の軽失禁パッド８では、各サイドシート８１が、長手方向の全長に亘る折曲線８２にて折り曲げられる。サイドシート８１のうち、折曲線８２の一方側の部位が側壁固定部８３であり、他方側の部位が側壁部８４である。側壁固定部８３は、軽失禁パッド１の外側縁部３２の一部に相当し、本体部２の側部上に接合される。側壁部８４は、折曲線８２にて側壁固定部８３から連続する。長手方向における側壁部８４の各端部８４１（以下、「側壁端部８４１」という。）では、側壁部８４が２つ折りにされて側壁固定部８３に重ねて接合される。側壁部８４の先端部には、弾性部材８５が伸張状態で接合される。当該弾性部材８５が収縮することにより、長手方向における両端部（２つの側壁端部８４１）の間において、側壁部８４が本体部２から着用者に向かって起立して、立体ギャザーとなる（図８中に二点鎖線にて示す側壁部８４参照）。
【００６６】
一方、図２の軽失禁パッド１では、図８の比較例の軽失禁パッド８における一対のサイドシート８１が、一対のカバーシート３１として扱われ、カバー部３の作製では、折曲線８２での折り曲げが省略される。また、側壁端部８４１の形成に係る側壁部８４の２つ折りも省略され、側壁端部８４１に対応する側壁部８４の部位が、延びた状態で本体部２に接合される。これにより、側壁固定部８３および側壁部８４の当該部位が外側縁部３２となる。さらに、側壁部８４の先端部が内側縁部３３となり、長手方向における所定範囲において、一対のカバーシート３１における内側縁部３３同士を接合することにより、接合部３３１が形成される（図４参照）。これにより、一対のカバーシート３１により形成されるカバー部３が作製される。以上のように、図１の軽失禁パッド１のカバー部３は、立体ギャザーの作製に係る設備に対する簡単な変更で作製することができ、立体ギャザーを有する比較例の軽失禁パッド８の製造と、図１の軽失禁パッド１の製造との切替を容易に行うことができる。
【００６７】
上記軽失禁パッド１では様々な変形が可能である。
【００６８】
図９に示すように、カバーシート３１を構成する不織布の側縁を着用者側に折り返した折り返し部が設けられてもよい。この場合、当該折り返し部の先端は、当該不織布の着用者側の面に接合される。また、カバー部弾性部材３６は、当該折り返し部と、当該折り返し部に対向する対向部との間に配置される。このように、各カバーシート３１の内側縁部３３において、当該カバーシート３１を構成する不織布の縁を、トップシート２１とは反対側（着用者側）に折り返すことにより、当該不織布の縁が、カバー部３と本体部２との間の空間に配置されず、開口部３５内に配置された男性器の陰茎を刺激することを防止することができる。
【００６９】
軽失禁パッド１では、内側縁部３３においてカバー部弾性部材３６を省略した設計を採用することも可能である。しかしながら、この場合、一対のカバーシート３１の内側縁部３３同士、または、内側縁部３３と本体部２とが接触した状態が維持されやすくなり、軽失禁パッド１を着用する際に、着用者が一対のカバーシート３１における非接合部３３２を本体部２から離間させて開口部３５を広げる手間が必要になる。一方、開口部３５の縁に沿ってカバー部弾性部材３６を設ける場合には、カバー部弾性部材３６の収縮により開口部３５が自然に広がるため、着用者における上記手間を排除することが可能となる。
【００７０】
図１０に示すように、カバー部３が一枚のカバーシート３１ａにより形成されてもよい。カバーシート３１ａは、本体部２の着用者側の面（トップシート２１側の面）の全体を覆う。また、カバーシート３１ａの前方部１１０側の部位には、幅方向に延びるスリットが開口部３５として形成され、開口部３５の縁に沿って、カバー部弾性部材３６が設けられる。カバーシート３１ａの股下部１２０側の部位には、本体部２との間に袋状部３４が形成される。図１０の軽失禁パッド１においても、開口部３５に男性器を挿入することにより、排泄された尿の軽失禁パッド１外への漏れを防止することができる。また、多量の尿が排泄された場合でも、袋状部３４により当該尿が保持されることにより、尿が着用者側に戻ることを防止することができる。カバーシート３１ａにおいて、長手方向に延びる開口部３５が形成されてもよい。
【００７１】
図１１に示すように、吸収コア２２において、複数の吸収シート２２０が重ねて設けられる領域Ａ１と、領域Ａ１よりも少ない個数の吸収シート２２０が設けられる領域Ａ２とが設定されてもよい。好ましくは、領域Ａ１は、前方部１１０に設けられ、領域Ａ２は、股下部１２０に設けられる。このように、大きな吸収量が求められる前方部１１０においてのみ、他の部位よりも多くの吸収シート２２０を重ねることにより、軽失禁パッド１の製造コストを削減することができる。
【００７２】
軽失禁パッド１の設計によっては、吸収コア２２が矩形以外の形状であってもよい。また、軽失禁パッド１において求められる尿の吸収量によっては、前方部１１０のみに吸収コア２２が設けられてもよい。
【００７３】
吸収シート２２０において、材料存在領域２２５のパターンは適宜変更されてよい。軽失禁パッド１の薄型化が求められない場合には、パルプ繊維等が集合した吸水用の繊維集合層が吸収コア２２に含まれてもよい。
【００７４】
上記実施の形態および各変形例における構成は、相互に矛盾しない限り適宜組み合わされてよい。
【符号の説明】
【００７５】
１    男性用軽失禁パッド
２    本体部
３    カバー部
１１    前方端部
１２    股下端部
２１    トップシート
２２    吸収コア
２３    バックシート
２４    吸水紙
２９    本体周縁部
３１，３１ａ    カバーシート
３２    外側縁部
３３    内側縁部
３４    袋状部
３５    開口部
３６    カバー部弾性部材
９１    包装袋
２２１    上層シート
２２２    下層シート
２２３    高吸収性材料層
２２４    高吸収性材料
２２５    材料存在領域
２２６    材料不存在領域
２４２    幅広部
Ｆ１，Ｆ２    （男性用軽失禁パッドの）折曲線
【図１】
2018114005.tif 000003
【図２】
2018114005.tif 000004
【図３】
2018114005.tif 000005
【図４】
2018114005.tif 000006
【図５】
2018114005.tif 000007
【図６】
2018114005.tif 000008
【図７】
2018114005.tif 000009
【図８】
2018114005.tif 000010
【図９】
2018114005.tif 000011
【図１０】
2018114005.tif 000012
【図１１】
2018114005.tif 000013